(57)【要約】【課題】  リングとキャップを一体化し、組み立ても手間が掛からず、軟質で収納しやすい携帯ケースを得る。【解決手段】  容器本体（２）とキャップ（３）からなるケースであって、容器本体は、下方に底部（２１）を有し、上方に開口部（２２）を有する筒状胴部（２３）をなし、開口部先端から離れた胴部上方に嵌合突起（２２１）を有し、キャップは、容器本体の開口部外周を覆うキャップ筒状部（３１）を有し、キャップ筒状部内側に平行して開口部内側に挿嵌する係止帯（３１１）を有し、キャップ筒状部上端には開口部を覆う蓋部が開閉自在にキャップヒンジ（３２１）を介して設けられ、キャップ筒状部下方には吊り下げリング（３３）がリングヒンジ（３３１）を介して設けられ、キャップ筒状部内側に、容器本体の嵌合突起に挿嵌する突起を設け、キャップが容器本体に嵌装することを特徴とする２部品からなる携帯ケース（１）。【選択図】図３
2017086471.tif 000002
【特許請求の範囲】
【請求項１】
容器本体とキャップからなるケースであって、
容器本体は、下方に底部を有し、上方に開口部を有する筒状胴部をなし、開口部先端から離れた胴部上方に嵌合突起を有し、
キャップは、容器本体の開口部外周を覆うキャップ筒状部を有し、キャップ筒状部内側に平行して開口部内側に挿嵌する係止帯を有し、キャップ筒状部上端には開口部を覆う蓋部が開閉自在にヒンジを介して設けられ、キャップ筒状部下方には吊り下げリングがヒンジを介して設けられ、
キャップ筒状部内側に、容器本体の嵌合突起に挿嵌する突起を設け、
キャップが容器本体に嵌装することを特徴とする２部品からなる携帯ケース。
【請求項２】
キャップが、蓋部のキャップヒンジの上方に凹みを設け、吊り下げリングのリングヒンジ下方に凹みを設けたことを特徴とする請求項１に記載の携帯ケース。
【請求項３】
キャップが、吊り下げリングのリングヒンジの幅に開いたリング止めリブを、吊り下げリングのリングヒンジ上方のキャップ筒状部外壁に設けたことを特徴とする請求項１又は２に記載の携帯ケース。
【請求項４】
容器本体が、ブロー成形法で製造された可撓性チューブであることを特徴とする請求項１〜３のいずれかに記載の携帯ケース。
【請求項５】
容器本体の嵌合突起が、容器内側へ凸状で、全周囲に設けられたリング状の突起であることを特徴とする請求項１〜４のいずれかに記載の携帯ケース。
【請求項６】
容器本体の開口部断面が長円形状を成し、キャップの係止帯が、長円の円弧に相当する部分のみ設けたことを特徴とする請求項１〜５のいずれかに記載の携帯ケース。
【請求項７】
キャップの筒状部上端の蓋部が閉じて接する端面に、蓋部の当たる外側と内側にそれぞれ、蓋部端面を挟みこむ周縁突起を設けたことを特徴とする請求項１〜６のいずれかに記載の携帯ケース。
【請求項８】
キャップのヒンジ側外側面に傾斜部を設けたことを特徴とする請求項１〜７のいずれかに記載の携帯ケース。
【発明の詳細な説明】
【技術分野】
【０００１】
本発明は、歯ブラシと練り歯磨きチューブのセットや、シャープペンシルとボールペンやものさしの文具セットなど、携帯する時にまとめておくと便利な小物類の携帯ケースに関する。
【背景技術】
【０００２】
従来、小物類を携帯するケースとして、射出成形で容器本体と蓋を一体で成形されたケースなどはあった。しかし、どうしても肉厚で重量もあって、かつ、硬く収納しにくい、落下で破損しやすい、吊り下げるためのリングなどを設けにくいなどの問題があり、吊り下げ可能で携帯しやすい薄肉で軟質のケースが望まれてきた。
【０００３】
そのようなケースとして、例えば、特許文献１では、容器胴部、キャップ、および容器胴部に嵌装してキャップを係止するリングより構成される容器であって、容器胴部はその一端が開口した筒状をなし、キャップは容器胴部の一端に嵌装するための筒状部を有し、リングにはその内面側で起倒し得る係止爪を備えていて、このリングを容器胴部の開口側からその一端の外面に嵌装して係止爪が容器胴部の一端を内面側から挟む状態とし、キャップの筒状部をリングの係止爪に係止して、容器胴部の一端をキャップにより開閉自在としたことを特徴とするプラスチック容器を提案している。
【０００４】
しかしながら、ここに設けたリングは、単に容器胴部の開口側からその一端の外面に嵌装して係止爪が容器胴部の一端を内面側から挟んでいるだけなので、重量のある物品を収納した場合、リングの係止が外れてしまう恐れがある。また、仮にリングに吊り下げ機構を付与した場合は、ケースが傾斜してしまい、ケースを直立状態に保持することができない。
また、容器胴部と、キャップ、リングの３部品に分かれているので、製造する成形金型が、その分必要であると共に、組み立てる手間がかかる為、ケース自体が高価になってしまう問題があった。
【先行技術文献】
【特許文献】
【０００５】
【特許文献１】特開２００３−７２７８８号公報
【発明の概要】
【発明が解決しようとする課題】
【０００６】
そこで、リングとキャップを一体化し、組み立ても手間が掛からず、軟質で収納しやすい携帯ケースを得ることが本発明の課題である。
【課題を解決するための手段】
【０００７】
本発明の携帯ケースは、
容器本体とキャップからなるケースであって、
容器本体は、下方に底部を有し、上方に開口部を有する筒状胴部をなし、開口部先端から離れた胴部上方に嵌合突起を有し、
キャップは、容器本体の開口部外周を覆うキャップ筒状部を有し、キャップ筒状部内側に平行して開口部内側に挿嵌する係止帯を有し、キャップ筒状部上端には開口部を覆う蓋部が開閉自在にキャップヒンジを介して設けられ、キャップ筒状部下方には吊り下げリングがリングヒンジを介して設けられ、
キャップ筒状部内側に、容器本体の嵌合突起に挿嵌する突起を設け、
キャップが容器本体に嵌装することを特徴とする２部品からなる携帯ケースである。
【発明の効果】
【０００８】
本発明の携帯ケースは、容器本体とキャップの２部品からなるケースであって、
キャップに吊るす為の吊り下げリングと、口元を閉鎖する蓋部と、キャップ筒状部とが一体で成形されているので、部品コストを低く抑えることができると共に、組み立ての手間も少なく、早く、安価に製造することができる。
【図面の簡単な説明】
【０００９】
【図１】本発明の携帯ケースで、第一実施形態における正面図と背面図である。
【図２】本発明の携帯ケースで、第一実施形態における幅方向の縦断面図と、その部分拡大断面図である。
【図３】本発明の携帯ケースで、第一実施形態における前後方向の縦断面図と、その成形直後のキャップを示す部分拡大断面図である。
【図４】本発明の携帯ケースで、第一実施形態におけるキャップを閉めた状態の平面図と、キャップを開けた状態の平面図、及び、図２におけるＡ断面、Ｂ断面の横断面図である。
【図５】本発明の携帯ケースで、第一実施形態における容器本体の斜視図と縦断面図である。
【図６】本発明の携帯ケースで、第二実施形態における正面図と背面図である。
【図７】本発明の携帯ケースで、第二実施形態における幅方向の縦断面図と、その部分拡大断面図である。
【図８】本発明の携帯ケースで、第二実施形態における前後方向の縦断面図と、その成形直後のキャップを示す部分拡大断面図である。
【図９】本発明の携帯ケースで、第二実施形態におけるキャップを閉めてリングはリング止めに引っ掛けていない状態の平面図と、キャップを開けた状態の平面図、及び、図２におけるＡ断面、Ｂ断面の横断面図である。
【発明を実施するための形態】
【００１０】
以下、本発明の携帯ケースについて、図を用いて詳細に説明する。
図１は、本発明の第一実施形態における携帯ケース１の正面図と背面図である。
本発明の携帯ケース１は、容器本体２とキャップ３から構成されている。
この内、容器本体２は、下方に底部２１を有し、上方に開口部を有する筒状胴部をなし、開口部先端から離れた胴部上方に嵌合突起を有している。通常、押し出しブロー成形で成形されるが、インジェクションブロー成形であっても、薄肉の射出成形品であってもかまわないし、真空・圧空成形品や、液体反応性樹脂を使用した浸漬成形法（ディッピング法）による成形品であってもかまわない。
キャップ３は、容器本体２の開口部外周を覆うキャップ筒状部３１を有し、通常、蓋部３２で開口部を覆っている。蓋部３２はキャップ筒状部３１と、背面でキャップヒンジ３２１によって繋がっている。正面側には開口する時に端部を引掛けられる為の鍔３２２が設けられている。
さらに、キャップ３の背面には、携帯ケース１を吊り下げる為の吊り下げリング３３が付属して設けられ、キャップ筒状部３１にリングヒンジ３３１で繋がっている。
【００１１】
図２は、携帯ケース１の幅方向で切断した縦断面図と、その嵌合部における部分拡大断面図である。
容器本体２は、下方に底部２１を有し、上方に開口部２２を有し、それらを細長い筒状胴部２３で繋がっている。
キャップ３は、容器本体２の開口部２２を、キャップ筒状部３１の係止帯３１１と外壁３１２とによって挟んだように嵌合している。
容器本体２の開口部２２には、先端から下方に下がった所へ、嵌合突起２２１がある。
また、キャップ筒状胴部２３外壁３１２の内面にリング状の突起３１３がある。
ここで突起リング３１３が、容器本体の嵌合突起２２１の外側凹部２２１０に挿嵌し、かつ、嵌合突起２２１の内側凸部２２１１に係止帯３１１が当接するので、嵌合突起２２１の逃げを防ぎ、突起３１３により係止できるようになる。
さらに、キャップ３の蓋部３２が当接するキャップ筒状部３１上端端面には、蓋部３２先端が当接する外側に、盛り上げた周縁突起３１４を設け、蓋部３２がぐらつかなくするようにしても良い。
【００１２】
図３は、携帯ケースの第一実施形態における前後方向の縦断面図と、その成形直後のキャップを示す部分拡大断面図である。
キャップの前後方向では、係止帯がなく、突起３１３が、容器本体の嵌合突起２２１の外側凹部２２１０に挿嵌しているだけである。
キャップ３のキャップヒンジ３２１は、上側に向いた凹部３２１１を設ける。
このことによって、蓋部３２は、キャップヒンジ３２１を折り曲げた時に、キャップヒンジ側の蓋部３２も隙間無く、キャップ筒状部３１上端に当接できる。
また、図３−３で示すように、蓋部のヒンジ側側面には、傾斜面になるよう肉付部３５が形成されている。
【００１３】
同じように、吊り下げリング３３は、リングヒンジ３３１の下側に向いた凹部３３１１を設ける。
このことによって、吊り下げリング３３は、リングヒンジ３３１を上方に折り曲げた時に、直角に近く曲げることができ、携帯ケースが垂直に近い状態で吊り下げることができる。
そして、これらの対応によって、キャップ３を射出成形した時に、蓋部３２と吊り下げリング３３との間のスライド金型を問題なく抜くことができる。
【００１４】
図３−４に、蓋部３２のキャップヒンジ反対側に設けた鍔３２２を示す。鍔３２２の内側には、鍔係止突起３２２１を設け、キャップ筒状部上端に設けられた開口突起３４外面側には鍔係止凹部３４１を設け、それらが嵌合して係止できるようになっている。もちろん、この係止の凹凸は、逆に設けていてもかまわないし、ヒンジ近傍を除く全周囲に設けても、左右に分けて設けてもかまわない。
【００１５】
図４は、第一実施形態の携帯ケースで、図４−１にキャップを閉めた状態の平面図、図４−２にキャップを開けた状態の平面図、及び、図２におけるＡ断面、Ｂ断面の横断面図を図４-３、図４−４に示した。
この図で示すように、キャップの蓋部形状や容器本体の開口部２２は、長円形状を成している。
そして、図４−３、図４−４で示すように、キャップの係止帯３１１は、長円の円弧に相当する部分のみ設けている。
これは、長円の円弧部分のみ容器本体の嵌合突起２２１に嵌合させれば、直線部分では、逃げが無いので、固定可能である。
また、係止帯３１１が一部切れているので、容器本体２を挿入する時に、係止帯が変形しやすく、その為、係止帯３１１にスムースに挿嵌できるようになる。
【００１６】
図４−１の部分拡大図に示すように、蓋部のヒンジ側側面には、傾斜面が肉付けされ、蓋部３２と吊り下げリング３３の間のスライド駒をヒンジから離れた背面方向に引いて抜く時に、抜きやすくすると共に、その時に、キャップヒンジ３２１が曲げられて、キャップヒンジ３２１を構成する分子が並んでヒンジの機能を発揮できるようにしている。
もちろん、スライド駒は左右方向に抜いてもかまわないし、スライドや製品全体を一旦持
ち上げて吊り下げリング３３の大きな孔３３２を抜いてから、スライド駒を移動させれば、吊り下げリング３３の内径淵にもＲを設け、角のない、肌に優しい吊り下げリング３３にすることもできる。
【００１７】
図５−１は、本発明に用いられる容器本体２の斜視図である。筒状胴部２３は腰を強くしたりする為に長手方向や横方向に凹部や凸部を設けることが好ましい。
開口部２２は断面が長円形状であって、開口部先端から下方に嵌合突起２２１が設けられている。
この嵌合突起２２１は、外側が外側凹部２２１０、内側が内側凸部２２１１になっているので、腰があって、薄肉でも容易に変形しにくくなっている。
【００１８】
図６は、本発明の第二実施形態における携帯ケース１の正面図と背面図である。
この第二実施形態は、吊り下げリング３３を垂直に持ち上げられた状態で固定できる携帯ケース１である。
吊り下げリング３３のリングヒンジ３３１左右にヒンジ止めリブ３１５を設け、ヒンジ止めリブ３１５によってリングヒンジ３３１を挟んで係止している。
また、筒状胴部２３には腰を強くしたりする為に長手方向に凹部２４を設けている。もちろん、凹部の代わりに凸部にしてもかまわないし、嵌合突起のように全周に渡ってリング状に凹部や凸部を設けてもかまわない。
【００１９】
図７は、携帯ケース１の幅方向で切断した縦断面図と、その嵌合部における部分拡大断面図である。
キャップ３は、第一実施形態と同じように、容器本体２の開口部２２を、キャップ筒状部３１の係止帯３１１と外壁３１２とによって挟んだように嵌合している。
【００２０】
図８は、携帯ケースの第二実施形態における前後方向の縦断面図と、その成形直後のキャップを示す部分拡大断面図である。
吊り下げリング３３のリングヒンジ３３１左右に設けたヒンジ止めリブ３１５によってリングヒンジ３３１を挟んで係止している。
吊り下げリング３３には、第一実施形態と同じように、リングヒンジ３３１の下側に向いた凹部３３１１を設けている。
吊り下げリング３３は、リングヒンジ３３１を上方に折り曲げた時に、直角に近く曲げることができ、容易にヒンジ止めリブ３１５によってその位置で固定させることが出来る。もちろん、その状態で吊り下げリングを引掛ければ、携帯ケースを垂直に近い状態で吊り下げることができる。固定する嵌合調整はヒンジの幅で容易に調整できる。
【００２１】
図９は、第二実施形態の携帯ケースで、図９−１にキャップを閉めた状態の平面図、図９−２にキャップを開けた状態の平面図、及び、図７におけるＣ断面、Ｄ断面の横断面図を図９-３、図９−４に示した。
ヒンジ止めリブ３１５が左右に対で設けられている。
【００２２】
本発明の携帯ケースに使用するキャップは、通常ポリプロピレン樹脂を射出成形して製造することができる。
ポリプロピレン樹脂のほか、エチレン・プロピレン共重合樹脂、ポリエチレン樹脂、エチレン・酢酸ビニル共重合体樹脂、フッ化エチレン樹脂などでも製造できる。
射出成形直後、キャップヒンジとリングヒンジを回動させ、ヒンジを構成する分子の向きを合わせることが望ましい。
【００２３】
本発明の携帯ケースに使用する容器本体は、通常、押し出したポリエチレン樹脂などのパリソンをブロー成形し、開口部を切断して開口して製造することができる。
底部を通常のピンチオフ部としてもかまわないが、小さな孔を設け、内部の水分を揮発できるようにしても良い。
開口部は、キャップに挿嵌するために、一定の腰は必要であるが、薄肉であることが好ましいので、ブロー成形した後に、仕上げるようにする。
もちろん、芳香族ポリアミドなどを積層した多層押し出しパリソンを使用し、多層容器にしてもかまわない。
また、インジェクションブロー成形しても、真空・圧空成形しても、液体反応性樹脂を使用した浸漬成形法（ディッピング法）による成形品であってもかまわない。
成形材料は、ポリエチレン、ポリプロピレン、エチレン・プロピレン共重合体、エチレン・酢酸ビニル共重合体、アクリロニトリル、ブタジエンなどを共重合させたスチレン、ポリエチレンテレフタレート、なども使用できる。
【００２４】
本発明の携帯ケースは、以上のようなもので、歯ブラシと練り歯磨きチューブなどのセットを入れ、セットごと販売するのに、つり下げる平板リングが、容器に対して垂直に近くして固定できるので、店頭陳列の見栄えも高く、陳列スペースも有効活用できると共に、販売促進効果も高い。
また、通常のブロー成形による容器本体と射出成形で製造されるキャップの２点だけで組み立てられる。特に組み立て治具を必要とせず、単に容器本体をキャップに挿入するだけで組み立てることができるので、金型代も小さく、手間も掛からず、生産性も高く、安価に量産できるなど、本発明のメリットは大きい。
【符号の説明】
【００２５】
１・・・・・・・・・携帯ケース
２・・・・・・・・・容器本体
２１・・・・・・・・底部
２２・・・・・・・・開口部
２２１・・・・・・・嵌合突起
２２１０・・・・・・外側凹部
２２１１・・・・・・内側凸部
２３・・・・・・・・筒状胴部
２４・・・・・・・・凹部（筒状胴部）
３・・・・・・・・・キャップ
３１・・・・・・・・キャップ筒状部
３１１・・・・・・・係止帯
３１２・・・・・・・外壁
３１３・・・・・・・突起
３１４・・・・・・・周縁突起
３１５・・・・・・・ヒンジ止めリブ
３２・・・・・・・・蓋部
３２１・・・・・・・キャップヒンジ
３２１１・・・・・・上側に向いた凹部
３２２・・・・・・・鍔
３２２１・・・・・・鍔係止突起
３３・・・・・・・・吊り下げリング
３３１・・・・・・・リングヒンジ
３３１１・・・・・・下側に向いた凹部
３３２・・・・・・・孔
３４・・・・・・・・開口突起
３４１・・・・・・・鍔係止凹部
３５・・・・・・・・肉付部
【図１】
2017086471.tif 000003
【図２】
2017086471.tif 000004
【図３】
2017086471.tif 000005
【図４】
2017086471.tif 000006
【図５】
2017086471.tif 000007
【図６】
2017086471.tif 000008
【図７】
2017086471.tif 000009
【図８】
2017086471.tif 000010
【図９】
2017086471.tif 000011